(57)【要約】【課題】トイレルームの床面の掃除を自動的に行うための洋式便器及びトイレ設備を提案する。【解決手段】本発明の一実施形態の洋式便器２は、ボウル４と、ボウル４の周囲を覆うスカート５とを備える。洋式便器２は、スカート５の内側でありボウル４の下方に、自走式掃除機３が収納される収納空間Ｓ１を有する。洋式便器２は、スカート５の下端部に、収納空間Ｓ１に出入りする自走式掃除機３が通る出入口５０を有する。また、本発明の一実施形態のトイレ設備は、トイレルームの床面１に設置される上記の洋式便器２と、床面１を掃除する自走式掃除機３とを備える。【選択図】図１
2016031007.tif 000002
【特許請求の範囲】
【請求項１】
ボウルと、
前記ボウルの周囲を覆うスカートとを備え、
前記スカートの内側であり前記ボウルの下方に、自走式掃除機が収納される収納空間を有し、
前記スカートの下端部に、前記収納空間に出入りする前記自走式掃除機が通る出入口を有することを特徴とする洋式便器。
【請求項２】
トイレルームの床面に設置される洋式便器と、
前記床面を掃除する自走式掃除機とを備え、
前記洋式便器は、
前記床面の上方に位置するボウルと、
前記ボウルの周囲を覆うスカートとを含み、
前記スカートの内側であり前記ボウルの下方に、前記自走式掃除機が収納される収納空間を有し、
前記スカートの下端部に、前記収納空間に出入りする前記自走式掃除機が通る出入口を有することを特徴とするトイレ設備。
【発明の詳細な説明】
【技術分野】
【０００１】
本発明は、洋式便器及びトイレ設備に関し、特に、トイレルームの床面を掃除するための技術に関する。
【背景技術】
【０００２】
洋式便器が設置されたトイレルームの床面の掃除には、特許文献１等で提案されている清掃具を用いることができる。
【０００３】
トイレルームの床面の掃除は、特許文献１等の清掃具を用いることによって、効率的に行うことができる。
【先行技術文献】
【特許文献】
【０００４】
【特許文献１】特開２００２−２３８８２３号公報
【発明の概要】
【発明が解決しようとする課題】
【０００５】
しかし、特許文献１等の清掃具を用いた床面の掃除は、使用者自ら行わなければならず、手間がかかる。
【０００６】
そこで、本発明は、トイレルームの床面の掃除を自動的に行うための洋式便器及びトイレ設備を提案することを課題とする。
【課題を解決するための手段】
【０００７】
上記課題を解決するために本発明の洋式便器は、ボウルと、前記ボウルの周囲を覆うスカートとを備え、前記スカートの内側であり前記ボウルの下方に、自走式掃除機が収納される収納空間を有し、前記スカートの下端部に、前記収納空間に出入りする前記自走式掃除機が通る出入口を有することを特徴とする。
【０００８】
また、上記課題を解決するために本発明のトイレ設備は、トイレルームの床面に設置される洋式便器と、前記床面を掃除する自走式掃除機とを備え、前記洋式便器は、前記床面の上方に位置するボウルと、前記ボウルの周囲を覆うスカートとを含み、前記スカートの内側であり前記ボウルの下方に、前記自走式掃除機が収納される収納空間を有し、前記スカートの下端部に、前記収納空間に出入りする前記自走式掃除機が通る出入口を有することを特徴とする。
【発明の効果】
【０００９】
本発明では、トイレルームの床面の掃除を自動的に行うことができる。
【図面の簡単な説明】
【００１０】
【図１】本発明の一実施形態のトイレ設備を示す説明図である。
【図２】同上のトイレ設備の洋式便器内に自走式掃除機が収納された状態を示す説明図である。
【図３】同上の洋式便器の一例を示す分解斜視図である。
【発明を実施するための形態】
【００１１】
以下、本発明の実施形態について添付図面に基づいて説明する。
【００１２】
図１及び図２には、本発明の一実施形態のトイレ設備が示されている。本実施形態のトイレ設備は、トイレルームの床面１に設置される洋式便器２と、床面１を掃除する自走式掃除機３とを備える。以下では、図１及び図２の矢印Ｘ１で示す方向を前方とし、その反対方向を後方とし、矢印Ｙ１で示す方向を右方とし、その反対方向を左方とし、矢印Ｚ１で示す方向を上方とし、その反対方向を下方として、各構成について説明する。
【００１３】
図３には、洋式便器２の一例の分解斜視図が示されている。洋式便器２は、ボウル４及びスカート５を有する便器本体２０、支持フレーム２１、トラップケース２２、便器付設装置２３、付設装置カバー２４、側部カバー２５、後部カバー２６、便座２７、及び便蓋２８を含む。トラップケース２２は、その内部にモータにより後端が上下回動するトラップを有する。なお、トラップは、モータにより回動するものに限らず、流れ方向の一部が湾曲して封水部を形成した筒体であってもよい。トラップケース２２は、後部又は下部に、便器外部の排水管に接続される排水口を有する。便器付設装置２３は、ボウル４に洗浄水を吐出する吐出ノズルや、上水道に接続されて吐出ノズルに給水を行う給水管や、吐出ノズルの吐水の制御を行う制御部や、局部洗浄用の温水洗浄装置、乾燥装置、及び脱臭装置等を備える。
【００１４】
便器本体２０は、外郭となる平断面略Ｃ字状のスカート５と、この内側の上部に配置されるボウル４と、スカート５の内側のボウル４上に配置されるリム２９とが溶着一体化されて構成される。便器本体２０は樹脂製である。ボウル４は、その底部分に、トラップケース２２内のトラップに連通接続される排出用筒部を有する。スカート５は、その下端部に周方向に亘って、スカート５の内側に向けて突出したフランジ部を有する。フランジ部は、平面視略Ｃ字状である。
【００１５】
支持フレーム２１は、床面１に載置される略円環状の下フレーム２１０と、下フレーム２１０の後部上方に位置する上フレーム２１１と、下フレーム２１０と上フレーム２１１とを接続する縦フレーム２１２とを有する。
【００１６】
便器本体２０は、スカート５の下端部のフランジ部が下フレーム２１０の前部位上に載置されてねじ等によって固定されることによって、支持フレーム２１に支持される。便器付設装置２３は、上フレーム２１１上に載置されてねじ等により固定されることによって、支持フレーム２１に支持される。トラップケース２２は、便器付設装置２３の下方に配されて、ボウル４の排水用筒部に接続される。後部カバー２６、側部カバー２５、及び付設装置カバー２４は、支持フレーム２１または便器付設装置２３に、ねじ等により固定される。便器付設装置２３、支持フレーム２１及びトラップケース２２は、後部カバー２６、側部カバー２５、付設装置カバー２４、及び便器本体２０によって便器外部に対して隠蔽される。
【００１７】
図１及び図２に示すように、洋式便器２は、スカート５の内側でありボウル４の下方に、自走式掃除機３が収納される収納空間Ｓ１を有する。収納空間Ｓ１には、自走式掃除機３の全体が収納される。収納空間Ｓ１には、自走式掃除機３を充電するための充電台７が配される。
【００１８】
洋式便器２は、スカート５の下端部に、自走式掃除機３が通る出入口５０を有する。出入口５０は、本実施形態では、スカート５の右前部位の下端部に設けられている。出入口５０は、スカート５の下端部を、スカート５の厚み方向に貫通する。出入口５０は、自走式掃除機３が出入り可能なサイズに設けられている。スカート５の下端部のうち、出入口５０に相当する箇所には、フランジ部は設けられていない。
【００１９】
本実施形態では、出入口５０には、蓋６が取り付けられている。出入口５０は、蓋６によって開閉される。蓋６は、本実施形態では、上端部を軸にして、下端部がスカート５の内側及び外側に自在に回動するように出入口５０に取り付けられている。蓋６の上下長さは、回動時に下フレーム２１０に接触しない長さに設定されている。蓋６は、自走式掃除機３が当たることで、スカート５の内側又は外側に回動させられて、出入口５０を開く。蓋６は、自走式掃除機３が当たっていない状態では、自重により起立姿勢となって、出入口５０を塞ぐ。
【００２０】
なお、蓋６は、自走式掃除機３が当たることで出入口５０を開くものに限らず、センサ付きの回動装置によって自動的に開閉されるものであってもよい。例えば、センサにより出入口５０への自走式掃除機３の接近を検知したときには、回動装置により蓋６を回動させて出入口５０を開き、それ以外のときには、回動装置により蓋６を回動させて蓋６により出入口５０を閉じるようにしてもよい。
【００２１】
自走式掃除機３は、自動走行しながら、床面１上のほこり等のゴミをかき集めて吸引する掃除機である。なお、自走式掃除機３は、床面１の拭き掃除も併せて行うものであってもよい。自走式掃除機３としては、従来周知のものを適用可能である。
【００２２】
自走式掃除機３は、収納空間Ｓ１に収まるサイズに設けられている。自走式掃除機３は、例えば、薄い円盤型のボディに、充電式のバッテリーを内蔵し、ボディの下面に、ホイールや吸入口や回転ブラシを設け、ボディーの側面に、バンパーを設け、ボディーの上面に操作用のスイッチを設けたものである。自走式掃除機３は、充電台７に接続されることによって、内部のバッテリーが充電される。自走式掃除機３は、充電台７との接続位置を起点にして移動するものであり、バッテリーの残量が少なくなったり、所定時間経過後に、充電台７まで移動して、充電台７に接続される。
【００２３】
自走式掃除機３は、所定のパターンで移動するものであってもよいし、ランダムに移動するものであってもよいし、ほこりを検知して移動方向を変えるものであってもよいし、障害物に衝突する度に移動方向を変えるものであってもよい。また、自走式掃除機３は、これらの組み合せで移動するものであってもよい。
【００２４】
自走式掃除機３は、指定時間毎に自動的に充電台７から離れて掃除を行うように設定されたものであってもよいし、洋式便器２やトイレルームの壁等に設置したスイッチを使用者が操作することによって、充電台７から離れて掃除を行うものであってもよい。また、自走式掃除機３は、トイレルーム内の人をセンサで検知することにより掃除を行うタイミングを決めるものであってもよい。例えば、自走式掃除機３は、センサで人を検知することによって、洋式便器２に使用者が着座している間は収納空間Ｓ１内で待機するものや、洋式便器２から使用者が離れた後に収納空間Ｓ１から洋式便器２の外部へ移動するものであってもよい。
【００２５】
本実施形態のトイレ設備では、自走式掃除機３は、例えば、以下のように駆動する。
【００２６】
自走式掃除機３は、掃除を行わない待機時には、図２に示すように、洋式便器２の収納空間Ｓ１内に待機する。このとき、自走式掃除機３は、充電台７に接続された状態で収納空間Ｓ１内に待機する。
【００２７】
自走式掃除機３は、掃除を行う際には、図１に示すように、収納空間Ｓ１から、出入口５０を通じて、スカート５の外部へと移動する。このとき、自走式掃除機３は、支持フレーム２１の下フレーム２１０を乗り越え、出入口５０を閉じる蓋６を押し上げて、スカート５の外部へと移動する。
【００２８】
そして、自走式掃除機３は、スカート５の外部において、洋式便器２の周囲の床面１を掃除する。このとき、自走式掃除機３は、所定のパターンで移動したり、ランダムに移動したり、ほこりを検知して移動方向を変えたり、壁や洋式便器２に衝突する度に移動方向を変えたりしながら、洋式便器２の周囲の床面１を全体的に掃除する。
【００２９】
自走式掃除機３は、バッテリーの残量が少なくなったり、掃除開始から所定時間経過した際等に、洋式便器２の外側のうち出入口５０に対向する位置に移動し、出入口５０を通じて、充電台７との接続位置へ移動する。このとき、自走式掃除機３は、出入口５０を閉じる蓋６を押し上げ、支持フレーム２１の下フレーム２１０を乗り越えて、充電台７との接続位置まで移動する。そして、自走式掃除機３は、充電台７に接続されて、内部のバッテリーが充電される。
【００３０】
以上説明した本実施形態の洋式便器２は、下記の構成を備えることを特徴とする。
【００３１】
すなわち、本実施形態の洋式便器２は、ボウル４と、ボウル４の周囲を覆うスカート５とを備える。本実施形態の洋式便器２は、スカート５の内側でありボウル４の下方に、自走式掃除機３が収納される収納空間Ｓ１を有する。そして、本実施形態の洋式便器２は、スカート５の下端部に、収納空間Ｓ１に出入りする自走式掃除機３が通る出入口５０を有する。
【００３２】
このように本実施形態の洋式便器２は、自走式掃除機３が出入り自在な構造となっているため、本実施形態の洋式便器２が設置されたトイレルームには、自走式掃除機３を好適に設置することができる。そのため、本実施形態の洋式便器２が設置されたトイレルームでは、床面１の掃除を自走式掃除機３によって自動的に行うことができる。また、本実施形態の洋式便器２では、自走式掃除機３は、洋式便器２の周囲の床面１を掃除した後、スカート５の内側の収納空間Ｓ１に収納することができる。これにより、本実施形態の洋式便器２では、掃除後に自走式掃除機３が洋式便器２の周囲の床面１上に位置して邪魔になることや、飛散した小便等によって自走式掃除機３が汚れることを抑制することができる。また、収納空間Ｓ１は、従来デッドスペースとなっていたボウル４の下方の空間であるため、本実施形態の洋式便器２では、デッドスペースを有効に活用することができる。
【００３３】
また、上述した本実施形態のトイレ設備は、下記の構成を備えることを特徴とする。
【００３４】
すなわち、本実施形態のトイレ設備は、トイレルームの床面１に設置される洋式便器２と、床面１を掃除する自走式掃除機３とを備える。洋式便器２は、床面１の上方に位置するボウル４と、ボウル４の周囲を覆うスカート５とを含む。洋式便器２は、スカート５の内側でありボウル４の下方に、自走式掃除機３が収納される収納空間Ｓ１を有する。洋式便器２は、スカート５の下端部に、収納空間Ｓ１に出入りする自走式掃除機３が通る出入口５０を有する。
【００３５】
このような構成とすることで、本実施形態のトイレ用設備では、自走式掃除機３によってトイレルームの床面１を自動的に掃除することができる。また、本実施形態のトイレ用設備では、自走式掃除機３は、洋式便器２の周囲の床面１を掃除した後、スカート５の内側の収納空間Ｓ１に収納することができる。これにより、本実施形態の洋式便器２では、掃除後に自走式掃除機３が洋式便器２の周囲の床面１上に位置して邪魔になることや、飛散した小便等によって自走式掃除機３が汚れることを抑制することができる。また、収納空間Ｓ１は、従来デッドスペースとなっていたボウル４の下方の空間であるため、本実施形態のトイレ用設備では、洋式便器２内のデッドスペースを有効に活用することができる。
【００３６】
また、本実施形態の洋式便器２は、出入口５０を開閉する蓋６を備えているため、出入口５０を通じてほこり等がスカート５の内側に入り込むことを抑制できる。
【００３７】
なお、上述した実施形態では、洋式便器２として図３に示すものを一例として説明したが、これに限定されない。つまり、洋式便器２は、ボウル４と、ボウル４の周囲を覆うスカート５を備え、スカート５の内側でありボウル４の下方に、自走式掃除機３が収納される収納空間Ｓ１を有し、スカート５の下端部に、自走式掃除機３が通る出入口５０を有するものであればよい。例えば、洋式便器２は、ボウル４やスカート５が陶磁器製であり、支持フレーム２１を備えないものであってもよい。
【００３８】
また、上述した実施形態では、洋式便器２として、出入口５０を開閉する蓋６を備えたものを例として説明したが、洋式便器２は、蓋６を備えないものであってもよい。
【００３９】
また、上述した実施形態では、自走式掃除機３が、洋式便器２の内外へ自走する例について説明したが、使用者が自らの手で、自走式掃除機３を洋式便器２の内外へ移動させてもよい。この場合、使用者は、自走式掃除機３が備えるスイッチを操作することによって、自走式掃除機３を駆動させて、洋式便器２の周囲の床面１の掃除を自走式掃除機３により自動的に行わせるようにしてもよい。また、この場合でも、掃除後に自走式掃除機３を収納空間Ｓ１に収納することで、自走式掃除機３が邪魔になることや汚れることを抑制できる。このようにすることで、使用者は、トイレルームの床面１の汚れに気が付いたときに、自走式掃除機３を洋式便器２から取り出して、床面１の掃除を自走式掃除機３によって自動的に行うことができる。また、この場合、収納空間Ｓ１に充電台７を設置せず、自走式掃除機３のバッテリーの充電は、洋式便器２の外部で行うようにしてもよい。
【００４０】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００４１】
１      床面
２      洋式便器
３      自走式掃除機
４      ボウル
５      スカート
５０    出入口
Ｓ１    収納空間
【図１】
2016031007.tif 000003
【図２】
2016031007.tif 000004
【図３】
2016031007.tif 000005